(57)【要約】【課題】  頭部や頸椎部分を安定した高さ位置で確実に支持し得ると共に、頭部の形状に沿って頭部を包み込むように凹んで就寝時における理想的な頭部の収まりを可能にし得る枕を提供する。【解決手段】  詰め物２を充填している枕本体１内に、この枕本体１の幅方向に所定間隔を存して内部に詰め物2'を充填している筒状内袋体３、４を互いに平行に配設し、この筒状内袋体３、４によって枕の芯材としての機能を発揮させて頭部の荷重により大きく沈み込むのを防止すると共に頸椎部分を安定した高さ位置に保持する。【選択図】      図１
2006068426.tif 000002
【特許請求の範囲】
【請求項１】
詰め物を充填してなる枕本体内に、外径がこの詰め物を充填した枕本体の厚みよりも小径で且つ内部に詰め物を充填している２本の筒状内袋体を枕本体の幅方向に所定間隔を存して互いに平行に配設していることを特徴とする枕。
【請求項２】
枕本体内の幅方向の中間部に一方の筒状内袋体の上方側から他方の筒状内袋体の下方側に向かって斜めに延びる傾斜仕切り布を設けて、この傾斜仕切り布により枕本体をそれぞれ上記筒状内袋体を有する二つの詰め物充填室に区画していることを特徴とする請求項１に記載の枕。
【請求項３】
２本の筒状内袋体内に充填している詰め物の充填密度が枕本体内に充填している詰め物の充填密度よりも高いことを特徴とする請求項１又は請求項２に記載の枕。
【請求項４】
詰め物を充填している一方の筒状内袋体を大径に、他方の筒状内袋体を小径に形成していることを特徴とする請求項１又は請求項２に記載の枕。
【発明の詳細な説明】
【技術分野】
【０００１】
本発明は寝具用の枕、詳しくは頸椎部分から後頭部分を優しく安定して支持することができる枕に関するものである。
【背景技術】
【０００２】
寝具用の枕としては古くから単純な布袋にそば殻等の詰め物を充填し、使用時の頭部の重さによる窪みによって後頭部分を安定的に支持するという形態の枕が汎用されていた。しかし近年、快眠の追求にともなって、例えば、特許文献１に記載されているように、内部に詰め物を充填してなる大小の筒状袋体を３本、並列状に配設、一体化すると共に中間部の筒状袋体の長さ方向の中央部に頭部を支持する凹み部を設ける一方、端部側の大径の筒状袋体によって首部分を支持するように構成した枕が考案されている。
【０００３】
また、特許文献２に記載されているように、枕本体の内部を縦仕切り布によって複数の室に区画し、これらの室に木片や鉋屑などの詰め物を充填して消臭、抗菌機能を奏するように構成した枕が提供されている。
【特許文献１】登録実用新案第３０１５１８３号公報
【特許文献２】特開平１１−２９０１８３号公報
【発明の開示】
【発明が解決しようとする課題】
【０００４】
しかしながら、筒状袋体内や枕本体の内部に詰め物を充填しただけでは、筒状袋体内や枕本体内における詰め物の動きの自由度が広くて、頭部による荷重がかかった時に、詰め物が下方並びに左右方向への逃げが大きくなり、そのため、頭部や頸椎部分の支持高さが定まらないばかりでなく、詰め物の不安定な沈みが後頭部分の支持位置にも好ましからぬ影響を与え、その上、頭部を受止することによって生じた凹みの形状も詰め物の大きな自由度によって容易に変形して頭部の収まりが良くならないといった問題点があった。
【０００５】
また、枕本体内に縦仕切り布によって複数の詰め物充填室に区画しても、それぞれの区画室に異なる詰め物等を充填しておくことができる利点を有するが、頭部による荷重がかかると、縦仕切壁が左右いずれの方向にも容易に撓んで詰め物もその撓み方向に移動し、枕の凹み量が大きく且つ不定となって頭部を安定した高さ位置に支持することができなくなる等の問題点があった。
【０００６】
本発明はこのような問題点に鑑みてなされたもので、その目的とするところは、頭部や頸椎部分を安定した高さ位置で確実に支持し得ると共に、頭部の形状に沿って頭部を包み込むように凹んで就寝時における理想的な頭部の収まりを可能にし得る枕を提供するにある。
【課題を解決するための手段】
【０００７】
上記目的を達成するために、本発明の枕は請求項１に記載したように、詰め物を充填してなる枕本体内に、外径がこの詰め物を充填した枕本体の厚みよりも小径で且つ内部に詰め物を充填している２本の筒状内袋体を枕本体の幅方向に所定間隔を存して互いに平行に配設した構造としている。
【０００８】
このように構成した枕において、請求項２に係る発明は、上記枕本体内の幅方向の中間部に、この枕本体内に並設している２本の筒状内袋体における一方の筒状内袋体の上方側から他方の筒状内袋体の下方側に向かって斜めに延びる傾斜仕切り布を設けて、この傾斜仕切り布により枕本体をそれぞれ上記筒状内袋体を有する二つの詰め物充填室に区画していることを特徴とする。
【０００９】
また、請求項３に係る発明は、上記２本の筒状内袋体内に充填している詰め物の充填密度を枕本体内に充填している詰め物の充填密度よりも高い密度にしていることを特徴とし、請求項４に係る発明は、詰め物を充填している上記一方の筒状内袋体を大径に、他方の筒状内袋体を小径に形成していることを特徴とする。
【発明の効果】
【００１０】
請求項１に係る発明によれば、詰め物を充填してなる枕本体内に、外径がこの詰め物を充填した枕本体の厚みよりも小径で且つ内部に詰め物を充填している２本の筒状内袋体を枕本体の幅方向に所定間隔を存して互いに平行に配設しているので、この枕によって頭部を支持した時に、頭部の荷重によって筒状内袋体がその直径方向に圧縮しようとするが、筒状内袋体内に充填している詰め物が筒状内袋体の径方向及び長さ方向（左右方向）に移動しようとするのを筒状内袋体の内周面によって規制されて詰め物の自由度が狭くなり、特に、荷重に対する下方への凹み抵抗が増大してこれらの詰め物を充填している筒状内袋体が枕の芯材として機能を発揮し、頸椎部分の過度に沈みを防止して安定した高さに支持することができる。
【００１１】
その上、この芯材となる筒状内袋体の上周面と枕本体の上面側の内面間に存在する詰め物層が薄く、且つ、筒状内袋体がその下周面と枕本体の下面側の内面間に存在する詰め物層によって強固に支持されて殆ど下方に移動することもないので、頸椎部分が深く沈み込む虞れもなく筒状内袋体から上方部に存在する薄い詰め物層を凹ませながらその凹み部に安定的に保持させることができる。さらに、頭部が枕の幅方向の中間部、即ち、上記２本の筒状内袋体間上に支持されるが、この筒状内袋体間に存在する詰め物もこれらの筒状内袋体によって枕の幅方向に大きく逃げようとするのを阻止され、頭部の形状に沿った凹みを形成することができて頭部をソフトに支持し、快適な睡眠を可能にすることができる。
【００１２】
また、請求項２に係る発明によれば、上記枕本体内の幅方向の中間部に、この枕本体内に並設している２本の筒状内袋体における一方の筒状内袋体の上方側から他方の筒状内袋体の下方側に向かって斜めに延びる傾斜仕切り布を設けて、この傾斜仕切り布により枕本体をそれぞれ上記筒状内袋体を有する二つの詰め物充填室に区画しているので、一方の筒状内袋体を内装している室側においては、傾斜仕切り布の傾斜下面と枕本体の下面側内面間とで他方の筒状内袋体に向かって先細となった下側楔状室が形成されると共に、他方の筒状内袋体を内装している室側においては、傾斜仕切り布の傾斜上面と枕本体の上面側内面間とで上記一方の筒状内袋体に向かって先細となった上側楔状室が形成される。
【００１３】
そのため、これらの筒状内袋体間上の枕本体の中間部上で頭部を支持した時に、上側楔状室内の詰め物が傾斜仕切り布の傾斜上面に沿ってこの室側に設けている他方の筒状内袋体に向かって滑動しながら容易に移動して頭部の支持部に凹みを生じさせることができる一方、下側の楔状室においては詰め物が該楔状室から一方の筒状内袋体側に殆ど移動することなくこの楔状室内に食い込んだ状態を保持して頭部の支持層を形成し、従って、頭部を大きく沈み込ませることなく理想的な高さ位置で確実に支持しておくことができると共に上側の楔状室内の詰め物によって頭部をソフトに包み込んだ上記凹部を形成することができる。
【００１４】
請求項３に係る発明によれば、上記２本の筒状内袋体内に充填している詰め物の充填密度が枕本体内に充填している詰め物の充填密度よりも高い密度としているので、両筒状内袋体を一層剛直状芯材としての機能を発揮させることができ、頭部及び頸椎部分をさらに強固に且つ長時間に亘って安定的に支持することができる。
【００１５】
また、請求項４に記載したように、詰め物を充填している一方の筒状内袋体を大径に、他方の筒状内袋体を小径に形成しておくことによって、頸椎部分の支持高さを好みに応じて選択することができる利点を有する。
【発明を実施するための最良の形態】
【００１６】
〔実施の形態１〕
図１〜図３は本発明の枕の実施の形態１を示すもので、この枕A1は、そば殼などの詰め物２を充填している袋状の枕本体１と、この枕本体１内に、該枕本体１の幅方向に所定間隔を存して互いに平行に配設した内部に同じくそば殼などの詰め物2'を充填している２本の筒状内袋体３、４とから構成されている。なお、図１はこの枕A1の一部を切除して内部構造を示した斜視図、図２は枕A1全体の斜視図、図３は枕本体１内の詰め物２を排除した状態の一部切欠斜視図である。
【００１７】
上記枕本体１は図４に示すように、通気性と柔軟性を有する布地、好ましくは高密度の織布を平面横長矩形状の偏平な袋体に縫製してなり、その内部にこの枕本体１と同一素材によって偏平筒状に形成した上記筒状内袋体３、４を該枕本体１の幅方向に一定間隔を存して平行に配設し、これらの筒状内袋体３、４の長さ方向の一端部を枕本体１の短辺側の一端部に一体に縫着していると共に、枕本体１内と両筒状内袋体３、４内とにそれぞれ詰め物２、2'を充填したのち、両筒状内袋体３、４の他端部を枕本体１の他端部に縫着することによって枕A1を形成している。
【００１８】
筒状内袋体３、４の長さは枕本体１の長さ（左右方向の幅）に略等しく形成されていると共に、詰め物２を充填した枕本体１の厚みよりも、詰め物2'を充填して円筒形状に形成しているこれらの筒状内袋体３、４の外径を小径に形成してあり、従って、筒状内袋体３、４の周囲には枕本体１内に充填している詰め物２が存在している。即ち、枕本体１の上面側内面と筒状内袋体３、４の上周部との間、及び、枕本体１の下面側内面と筒状内袋体３、４の下周部との間に、それぞれ上下詰め物層21、22が設けられていると共に両筒状内袋体３、４間には枕本体１の厚さに相当する厚さの中央詰め物層23が存在し、さらに、これらの筒状内袋体３、４と枕本体１の両端部内面との間にも、外側詰め物層24、24が存在している。
【００１９】
このように構成したので、内部に詰め物2'を充填している筒状内袋体３、４が枕の芯材としての機能を発揮することになる。即ち、これらの筒状内袋体３、４に上方から圧縮しようとする荷重がかかった場合、内部に充填している詰め物2'が筒状内袋体３、４の円形断面において垂直方向に圧縮作用を受けるが、この圧縮作用が詰め物2'を筒状内袋体３、４の断面円形を水平方向に膨脹変形させる方向にも作用することになり、この方向の作用力が筒状内袋体３、４の内周面で受止されると共にこれらの筒状内袋体３、４の周囲に存在する枕本体１内の詰め物２からも変形を阻止する抵抗力を受けて圧縮変形が抑制されることになる。そのため、筒状内袋体３、４内での長さ方向及び径方向、特に、径方向の詰め物2'の移動の自由度が狭くなり、その上、筒状内袋体３、４全体が上下詰め物層21、22により支持され、且つ、長さ方向の両端部が枕本体１の両端部に縫着によって固定されているため殆ど撓み変形が生じることもなく、芯材としての機能を発揮することになるのである。
【００２０】
従って、枕本体１の長さ方向を左右方向に向けた状態にして一方の筒状内袋体３上で頸椎部分を支持し、且つ、枕本体１の幅方向の中央部、即ち、両筒状内袋体３、４間上の枕本体部分で頭部を支持した使用状態にすると、内部に詰め物2'を充填している筒状内袋体３によって頸椎部分が下方に大きく沈み込むのを抑制し、この筒状内袋体３上の詰め物層21を頸椎部分の形状に沿って凹ませながら筒状内袋体３によって頸椎部分を安定した高さ位置で支持することができる。
【００２１】
さらに、頭部を支持している両筒状内袋体３、４間の中央詰め物層23が頭部の荷重によって圧縮力を受けるが、その圧縮力によって中央詰め物層23の詰め物２が枕の幅方向に移動しようとするのを、換言すれば幅方向に逃げようとするのを両筒状内袋体３、４によって阻止され、頭部を受止している部分が下方に大きく凹むことなく頭部の形状に沿って頭部を安定的に且つ一定の高さに支持しえる凹み部分を形成するものである。
【００２２】
〔実施の形態２〕
図５は本発明の実施の形態２を示す枕A2の断面図であって、上記実施の形態１においては２本の筒状内袋体３、４の外径を同一径に形成しているが、この実施の形態２においては、一方の筒状内袋体3Aを大径に、他方の筒状内袋体4Aを一方の筒状内袋体3Aよりも小径に形成している。その他の構造については実施の形態１と同一であるので、同一部分には同一符号を付してその詳細な説明を省略する。このように構成した枕A2によれば、上記実施の形態１によって得られる作用効果に加えて、径の異なる筒状内袋体3A、4Aのいずれを一方を頸椎部分の支持に使用することにより、頸椎部分の支持高さを好みに応じて選択することができる利点がある。
【００２３】
〔実施の形態３〕
図６〜図８は本発明の実施の形態３を示すもので、上記実施の形態１において、枕本体１内の幅方向の中間部に、一方の筒状内袋体３の上方側から他方の筒状内袋体４の下方側に向かって斜めに延びる傾斜仕切り布５を設けて、この傾斜仕切り布５により枕本体１をそれぞれ上記筒状内袋体３、４を有する二つの詰め物充填室11、12に区画してなるものである。なお、図６は枕A3の一部を切除して内部構造を示した斜視図、図７は枕A3全体の斜視図、図８は枕本体１内の詰め物２を排除した状態の一部切欠斜視図である。
【００２４】
この実施の形態３における枕A3の構造をさらに詳しく説明すると、枕本体１は図９に示すように、上記実施の形態１と同様に通気性と柔軟性を有する布地、好ましくは高密度の織布を平面横長矩形状の偏平な袋体に縫製してなり、その内部にこの枕本体１と同一素材によって偏平筒状に形成した上記筒状内袋体３、４を該枕本体１の幅方向に一定間隔を存して平行に配設していると共にこれらの筒状内袋体３、４間に、上端が枕本体１の上面における一方の筒状内袋体３の上方側の内面に全長に亘って縫着６され、下端が枕本体１の下面における他方の筒状内袋体４の下方側の内面に全長に亘って縫着７された傾斜仕切り布５を配設し、筒状内袋体３、４及び傾斜仕切り布５の長さ方向の一端部を枕本体１の短辺側の一端部に一体に縫着８していると共に、枕本体１内と両筒状内袋体３、４内とにそれぞれ詰め物２、2'を充填したのち、両筒状内袋体３、４と傾斜仕切り布５との他端部を枕本体１の他端部に縫着９することによって枕A3を形成している。
【００２５】
従って、枕本体１内は上記傾斜仕切り布５によって上述したように一方の筒状内袋体３を内装している詰め物充填室11と、この一方の筒状内袋体３に対して枕本体１の幅方向に一定間隔を存して平行に配設した他方の筒状内袋体４を内装している詰め物充填室12とに区画されてあり、一方の室11においては、傾斜仕切り布５の傾斜下面と枕本体１の下面側の内面間とで他方の筒状内袋体４の下方側に向かって先細となった楔状室に形成されていると共に、他方の室12においては、傾斜仕切り布５の傾斜上面と枕本体１の上面側の内面間とで一方の筒状内袋体３の上方側に向かって先細となった楔状室に形成されている。
【００２６】
筒状内袋体３、４及び傾斜仕切り布５の長さは枕本体１の長さに略等しく形成されていると共に、詰め物２の充填によって膨脹している枕本体１の厚さよりも、詰め物2'の充填によって円筒形状に膨脹しているこれらの筒状内袋体３、４の外径を上記実施の形態１と同様に小径に形成してあり、従って、枕本体１の上面側内面と筒状内袋体３、４の上周部との間、及び、枕本体１の下面側内面と筒状内袋体３、４の下周部との間に、それぞれ上下詰め物層21、22が設けられていると共に両筒状内袋体３、４間には枕本体１の厚さに相当する厚さで且つ上記傾斜仕切り布５によって仕切られた上下楔状詰め物層23a 、23b が存在し、さらに、これらの筒状内袋体３、４と枕本体１の両端部内面との間にも、外側詰め物層24、24が設けられている。
【００２７】
図９は枕本体１の作製方法の説明図であって、一定幅と長さを有する長方形状の布地31の長さ方向の一端部31a を布地31の中央部31c における上面に、他端部31b を布地31の中央部31c における下面に折り重ねる。その際、これらの両端部31a 、31b の先端部分が一定の長さだけ互いに重複するように布地31の中央部31c の上下面に重ね合わせてその先端縁をそれぞれ布地31に縫着６、７する。従って、両縫着６、７間の布地31の中央部31c によって上記傾斜仕切り布５が形成される。
【００２８】
しかるのち、この傾斜仕切り布５によって区画された両側の室11、12内に予め、偏平筒状に縫製しておいた筒状内袋体３、４を挿入し、その挿入端を室11、12の一端部内面間に介在させて状態でこれらの室11、12の一端開口縁を筒状内袋体３、４の一端と共に一体に縫着８することによって幅方向に一定の間隔を存して筒状内袋体３、４を並設してなる枕本体１を縫製する。
【００２９】
次いで、これらの筒状内袋体３、４と室11、12内にそば殼などの詰め物２、2'を充填したのち、詰め物充填室11、12の開口他端縁を筒状内袋体３、４の開口他端縁と共に一体に縫着９することによって枕A3を作製するものである。なお、筒状内袋体３、４や詰め物充填室11、12の一方の開口端をファスナーによって開閉自在に閉止するように構成しておいてもよい。
【００３０】
このように構成した枕A2によれば、上記実施の形態１によって得られる作用効果に加えて、傾斜仕切り布５によって枕本体１を一方の筒状内袋体３を内装した詰め物充填室11と、他方の筒状内袋体４を内装した詰め物充填室12とに区画していることによる次のような作用効果を奏する。
【００３１】
即ち、これらの両詰め物充填室11、12内に設けている筒状内袋体３、４は、実施の形態１において述べたように芯材としての機能を発揮し、従って、枕本体１の長さ方向を左右方向に向けた状態にして一方の筒状内袋体３上で頸椎部分を支持し、且つ、枕本体１の幅方向の中央部、即ち、両筒状内袋体３、４間上の枕本体部分で頭部を支持した使用状態にすると、内部に詰め物2'を充填している筒状内袋体３によって頸椎部分が下方に大きく沈み込むのを抑制し、この筒状内袋体３上の詰め物層21を頸椎部分の形状に沿って凹ませながら筒状内袋体３によって頸椎部分を安定した高さ位置で支持することができる。
【００３２】
さらに、頭部を支持している両筒状内袋体３、４間の中央詰め物層23が頭部の荷重によって圧縮力を受けるが、その圧縮力によって中央詰め物層23の詰め物２が枕の幅方向に移動しようとするのを、換言すれば幅方向に逃げようとするのを両筒状内袋体３、４によって阻止され、頭部を受止している部分が下方に大きく凹むことなく頭部の形状に沿って頭部を安定的に且つ一定の高さに支持しえる凹み部分を形成するものである。
【００３３】
この場合、枕本体１の中央部においては上記傾斜仕切り布５によって仕切られた上下楔状詰め物層23a 、23b が存在しているので、中央詰め物層23上で頭部を支持した時に、頭部の荷重によって上側の楔状詰め物層23a が傾斜仕切り布５の傾斜上面に沿って他方の筒状内袋体４側に向かって移動するが、下側の楔状詰め物層23b は殆ど移動することなく楔状の下方の室内で傾斜仕切り布５と枕本体１の下面とで挟圧された状態を保持し、従って、この下側楔状詰め物層23b によって頭部の支持層を形成される一方、この支持層上の上側楔状詰め物層23a が頭部の荷重によって該頭部の形状に応じた凹みを生じさせることになり、頭部を大きく沈み込ませることなく理想的な高さ位置で確実に支持しておくことができる。
【００３４】
上記実施の形態１〜３において、詰め物２、2'としてはそば殼を使用しているが、合成樹脂製のビーズ状物や弾性材料からなる細片等、適宜の詰め物を使用してもよい。また、枕本体１内に充填する詰め物２の充填密度と筒状内袋体３、４内に充填している詰め物2'の密度とは略同一、又は、筒状内袋体３、４の方を高い充填密度としているものであり、このように、枕本体１内の詰め物２の充填密度よりも詰め物３、４内の詰め物2'の充填密度を高くしておけば、これらの筒状内袋体３、４による上記枕の芯材としての機能、即ち、詰め物２、2'の移動を抑制すると共に頸椎部分の安定した支持高さに保持するという機能を一層確実に発揮させることができると共に、充填密度の低い枕本体１内の詰め物2'が、頭部の荷重によって容易に凹んで頭部を優しく包み込む利点を有する。
【００３５】
なお、枕本体１内を傾斜仕切り布５によって筒状内袋体３、４をそれぞれ有する二つの詰め物充填室11、12に区画している場合には、これらの詰め物充填室11、12内への詰め物の充填密度を異ならしめてもよく、また、異種の詰め物を充填しておくこともできる。
【図面の簡単な説明】
【００３６】
【図１】実施の形態１の枕の一部を切除して内部構造を示した斜視図。
【図２】その枕全体の斜視図。
【図３】枕本体内の詰め物を排除した状態の一部切欠斜視図。
【図４】枕本体の作製方法を説明するための一部切欠斜視図。
【図５】実施の形態２の枕の縦断側面図。
【図６】実施の形態３の枕の一部を切除して内部構造を示した斜視図。
【図７】その枕全体の斜視図。
【図８】枕本体内の詰め物を排除した状態の一部切欠斜視図。
【図９】枕本体の作製方法を説明するための簡略斜視図。
【符号の説明】
【００３７】
A1〜A3  枕
２、2'  詰め物
３、４  筒状内袋体
５  傾斜仕切り布
６〜９  縫着
６  縫着
７  縫着
８  仕切り布
11、12  詰め物充填室
【図１】
2006068426.tif 000003
【図２】
2006068426.tif 000004
【図３】
2006068426.tif 000005
【図４】
2006068426.tif 000006
【図５】
2006068426.tif 000007
【図６】
2006068426.tif 000008
【図７】
2006068426.tif 000009
【図８】
2006068426.tif 000010
【図９】
2006068426.tif 000011